(57)【特許請求の範囲】
【請求項１】
全地球測位システムを用いて自端末と基地局との距離を測定する測定手段を有し、
前記測定手段の測定結果に応じて前記基地局からの下り信号の受信レベルの検出間隔を変更するようにし、
前記測定手段の測定結果を基に前記基地局の圏内にいるか否かを判定する判定手段と、前記判定手段で前記基地局の圏外と判定された時に前記基地局と自端末との距離に応じて自端末が前記基地局の圏内に到着するまでの時間を予測して次回の受信レベルの検出時間を設定する手段とを含むことを特徴とする移動通信端末装置。
【請求項２】
前記基地局の位置情報を蓄積する基地局位置テーブルを含むことを特徴とする請求項１記載の移動通信端末装置。
【請求項３】
前記受信レベルの検出を前回行った時の前記判定手段の判定結果を保持しておき、その保持内容に応じて前記測定手段で測定を行うか否かを判断するようにしたことを特徴とする請求項１または請求項２記載の移動通信端末装置。
【請求項４】
全地球測位システムを用いて自端末と基地局との距離を測定するステップを有し、
その測定結果に応じて前記基地局からの下り信号の受信レベルの検出間隔を変更するようにし、
前記測定結果を基に前記基地局の圏内にいるか否かを判定するステップと、前記基地局の圏外と判定された時に前記基地局と自端末との距離に応じて自端末が前記基地局の圏内に到着するまでの時間を予測して次回の受信レベルの検出時間を設定するステップとを含むことを特徴とする受信レベル検出方法。
【請求項５】
前記基地局の位置情報を基地局位置テーブルに蓄積するようにしたことを特徴とする請求項４記載の受信レベル検出方法。
【請求項６】
前記受信レベルの検出を前回行った時の前記基地局の圏内にいるか否かの判定結果を保持しておき、その保持内容に応じて前記基地局との距離を測定するか否かを判断するようにしたことを特徴とする請求項４または請求項５記載の受信レベル検出方法。
【請求項７】
コンピュータに、全地球測位システムを用いて自端末と基地局との距離を測定する処理と、その測定結果に応じて前記基地局からの下り信号の受信レベルの検出間隔を変更する処理と、前記測定結果を基に前記基地局の圏内にいるか否かを判定する処理と、前記基地局の圏外と判定された時に前記基地局と自端末との距離に応じて自端末が前記基地局の圏内に到着するまでの時間を予測して次回の受信レベルの検出時間を設定する処理とを実行させるためのプログラム。
【発明の詳細な説明】
【０００１】
【発明の属する技術分野】
本発明は移動通信端末装置及び受信レベル検出方法並びにそのプログラムに関し、特に移動通信端末装置における受信レベルの検出方法に関する。
【０００２】
【従来の技術】
従来、移動通信端末装置においては、自端末が現在収容されている基地局からの下り信号の受信レベルの検出を一定間隔で行っている。この受信レベルの検出は、移動通信端末装置が基地局から遠い場所に存在する場合でも、一定間隔で行われている。
【０００３】
【発明が解決しようとする課題】
しかしながら、上述したの従来の移動通信端末装置では、基地局からの距離に関係なく、受信レベル検出を一定間隔で行うようになっているため、移動通信端末装置が基地局から遠くに存在し、基地局圏外となっていても受信レベル検出を行っており、電力が消費されてしまうという問題がある。
【０００４】
そこで、本発明の目的は上記の問題点を解消し、消費電力を削減することができる移動通信端末装置及び受信レベル検出方法並びにそのプログラムを提供することにある。
【０００５】
【課題を解決するための手段】
本発明による移動通信端末装置は、全地球測位システムを用いて自端末と基地局との距離を測定する測定手段を備え、
前記測定手段の測定結果に応じて前記基地局からの下り信号の受信レベルの検出間隔を変更するようにし、
前記測定手段の測定結果を基に前記基地局の圏内にいるか否かを判定する判定手段と、前記判定手段で前記基地局の圏外と判定された時に前記基地局と自端末との距離に応じて自端末が前記基地局の圏内に到着するまでの時間を予測して次回の受信レベルの検出時間を設定する手段とを具備している。
【０００６】
本発明による受信レベル検出方法は、全地球測位システムを用いて自端末と基地局との距離を測定するステップを備え、
その測定結果に応じて前記基地局からの下り信号の受信レベルの検出間隔を変更するようにし、
前記測定結果を基に前記基地局の圏内にいるか否かを判定するステップと、前記基地局の圏外と判定された時に前記基地局と自端末との距離に応じて自端末が前記基地局の圏内に到着するまでの時間を予測して次回の受信レベルの検出時間を設定するステップとを具備している。
【０００７】
本発明による受信レベル検出方法のプログラムは、コンピュータに、全地球測位システムを用いて自端末と基地局との距離を測定する処理と、その測定結果に応じて前記基地局からの下り信号の受信レベルの検出間隔を変更する処理と、前記測定結果を基に前記基地局の圏内にいるか否かを判定する処理と、前記基地局の圏外と判定された時に前記基地局と自端末との距離に応じて自端末が前記基地局の圏内に到着するまでの時間を予測して次回の受信レベルの検出時間を設定する処理とを実行させている。
【０００８】
すなわち、本発明の移動通信端末装置は、受信レベルの検出間隔を基地局との距離に応じて変更することによって、消費電力を削減する構成を提供するものである。
【０００９】
より具体的に説明すると、本発明の移動通信端末装置は、設定された時間に受信レベルを無線送受信機によって取得する受信レベル検出手段と、前回の受信レベルが基地局圏外である場合にＧＰＳ（Ｇｌｏｂａｌ  ＰｏｓｉｔｉｏｎｉｎｇＳｙｓｔｅｍ：全地球測位システム）受信機によって移動通信端末の位置を求める位置測定手段と、基地局位置テーブルの記憶内容を基に自装置の位置が基地局圏内か基地局圏外かを判定する基地局圏内判定手段と、基地局圏外と判定した時に基地局と自装置との距離に応じて自装置が基地局圏内に到着するまでの時間を予測して次回の受信レベルの検出時間を設定する基地局圏内到着予測手段とを有している。
【００１０】
このような構成とすることで、本発明の移動通信端末装置では、受信レベルを検出する間隔を基地局との距離に応じて変更することによって、基地局圏外での受信レベル検出が少なくなり、消費電力の削減が可能となる。
【００１１】
【発明の実施の形態】
次に、本発明の実施例について図面を参照して説明する。図１は本発明の一実施例による移動通信端末装置の構成を示すブロック図である。図１において、移動通信端末装置１は無線送受信機１１と、受信レベル検出手段１２と、ＧＰＳ（Ｇｌｏｂａｌ  Ｐｏｓｉｔｉｏｎｉｎｇ  Ｓｙｓｔｅｍ全地球測位システム）受信機１３と、位置測定手段１４と、基地局圏内判断手段１５と、基地局圏内到着予測手段１６と、基地局（図示せず）の位置情報を格納する基地局位置テーブル１７とから構成され、上記の各手段は図示せぬコンピュータが記録媒体２に格納されたプログラムを実行することで実現される。
【００１２】
受信レベル検出手段１２は設定された時間に受信レベルを無線送受信機１１によって取得する。位置測定手段１４は前回の受信レベルが圏外である場合、ＧＰＳ受信機１３によって自端末の位置を求める。
【００１３】
基地局圏内判定手段１５は基地局位置テーブル１７に格納された内容（基地局の位置情報）に基づいて自端末の位置が基地局圏内か、基地局圏外かを判定する。基地局圏内到着予測手段１６は基地局圏外の場合、基地局と自端末との距離によって、自端末が基地局圏内に到着するまでの時間を予測し、次回の受信レベルの検出時間を設定する。
【００１４】
図２は本発明の一実施例による移動通信端末装置１の動作を示すフローチャートである。これら図１及び図２を参照して発明の一実施例による移動通信端末装置１の動作について説明する。
【００１５】
まず、受信レベルを検出する時間になると、受信レベル検出手段１２は前回の受信レベル検出が基地局圏内であったか否かを判断する（図２ステップＳ１）。受信レベル検出手段１２は前回の受信レベル検出が圏内である場合、受信レベルを無線送受信機１１によって取得する（図２ステップＳ２）。
【００１６】
受信レベル検出手段１２は取得した受信レベルが基地局圏内か、基地局圏外かを判断し（図２ステップＳ３）、取得した受信レベルが基地局圏外であった場合、基地局圏外であったことを保存し（図２ステップＳ４）、処理を終了する。
【００１７】
また、受信レベル検出手段１２は取得した受信レベルが基地局圏内であった場合、基地局圏内であったことを保存し（図２ステップＳ５）、次回の受信レベル検出時間を初期値にする（図２ステップＳ６）。
【００１８】
一方、受信レベル検出手段１２は前回の受信レベル検出が圏外である場合、その旨を位置測定手段１４に通知するので、位置測定手段１４はＧＰＳ受信機１３によって自端末の位置を求める（図２ステップＳ７）。
【００１９】
位置測定手段１４は位置測定ができたかどうかを判断し（図２ステップＳ８）、位置測定ができなければ、その旨を受信レベル検出手段１２に通知するので、受信レベル検出手段１２は受信レベルを無線送受信機１１によって取得する（図２ステップＳ２）。
【００２０】
また、位置測定手段１４は位置測定ができると、その位置測定の結果を基地局圏内判定手段１５に渡すので、基地局圏内判定手段１５はその位置測定の結果と基地局位置テーブル１７の格納内容とによって自端末の位置が基地局圏内か、基地局圏外かを判定する（図８ステップＳ９）。
【００２１】
基地局圏内判定手段１５は自端末の位置が基地局圏内であれば、その旨を受信レベル検出手段１２に通知するので、受信レベル検出手段１２は受信レベルを無線送受信機１１によって取得する（図２ステップＳ２）。
【００２２】
基地局圏内判定手段１５は自端末の位置が基地局圏外であれば、その旨を基地局圏内到着予測手段１６に通知するので、基地局圏内到着予測手段１６は基地局と自端末との距離に応じて自端末が基地局圏内に到着するまでの時間を予測し、次回の受信レベルの検出時間を設定する（図２ステップＳ１０）。
【００２３】
このように、本実施例では、移動通信端末装置１が基地局から離れている場合、受信レベル検出手段１２による受信レベル検出の回数が削減されるため、消費電力を削減することができる。
【００２４】
図３は本発明の他の実施例による移動通信端末装置の動作を示すフローチャートである。本発明の他の実施例による移動通信端末装置は、図３に示すように、図１に示す本発明の一実施例による移動通信端末装置１と動作が異なる以外は、同様の構成となっているので、図１及び図３を参照して発明の他の実施例による移動通信端末装置１の動作について説明する。
【００２５】
まず、受信レベル検出手段１２は受信レベルを検出する時間になると、受信レベルを無線送受信機１１によって取得し（図３ステップＳ１１）、取得した受信レベルが基地局圏内か、基地局圏外かを判断する（図３ステップＳ１２）。受信レベル検出手段１２は取得した受信レベルが基地局圏内であれば、次回の受信レベルの検出時間を初期値にする（図３ステップＳ１３）。
【００２６】
受信レベル検出手段１２は取得した受信レベルが基地局圏外であれば、その旨を位置測定手段１４に通知するので、位置測定手段１４はＧＰＳ受信機１３によって自端末の位置を求める（図３ステップＳ１４）。
【００２７】
位置測定手段１４は位置測定ができたかどうかを判断し（図３ステップＳ１５）、位置測定ができなかった場合、次回の受信レベルの検出時間を初期値にする（図３ステップＳ１３）。
【００２８】
位置測定手段１４は位置測定ができると、その位置測定の結果を基地局圏内判定手段１５に渡すので、基地局圏内判定手段１５はその位置測定の結果と基地局位置テーブル１７の格納内容とによって自端末の位置が基地局圏内か、基地局圏外かを判定し（図３ステップＳ１６）、自端末の位置が基地局圏内であれば、次回の受信レベル検出時間を初期値にする（図３ステップＳ１３）。
【００２９】
基地局圏内判定手段１５は自端末の位置が基地局圏外であれば、その旨を基地局圏内到着予測手段１６に通知するので、基地局圏内到着予測手段１６は基地局と自端末との距離に応じて自端末が基地局圏内に到着するまでの時間を予測し、次回の受信レベルの検出時間を設定する（図３ステップＳ１７）。
【００３０】
このように、本実施例では、移動通信端末装置１が基地局から離れている場合、受信レベル検出手段１２による受信レベル検出の回数を削減することができるので、消費電力を削減することができる。
【００３１】
【発明の効果】
以上説明したように本発明は、全地球測位システムを用いて自端末と基地局との距離を測定し、その測定結果に応じて基地局からの下り信号の受信レベルの検出間隔を変更することによって、消費電力を削減することができるという効果が得られる。
【図面の簡単な説明】
【図１】本発明の一実施例による移動通信端末装置の構成を示すブロック図である。
【図２】本発明の一実施例による移動通信端末装置の動作を示すフローチャートである。
【図３】本発明の他の実施例による移動通信端末装置の動作を示すフローチャートである。
【符号の説明】
１  移動通信端末装置
２  記録媒体
１１  無線送受信機
１２  受信レベル検出手段
１３  ＧＰＳ受信機
１４  位置測定手段
１５  基地局圏内判断手段
１６  基地局圏内到着予測手段
１７  基地局位置テーブル
【図１】
0003613233.tif 000002
【図２】
0003613233.tif 000003
【図３】
0003613233.tif 000004